(57)【要約】【課題】ロック解除時に反対側のグリップに当たらない手動利器のロック機構を提供する。【解決手段】一対のグリップを閉じたロック状態にする手動利器のロック機構において、一方のグリップ（４）の端に設けられた保持用凹部（８）と、他方のグリップ（５）の端に設けられた係止用凹部（９）と、保持用凹部に着脱可能及び回動可能に設けられ、係止用凹部に係止して一対のグリップを閉じたロック状態にするリング部材（１０）と、リング部材を保持用凹部に着脱及び回動可能に入れる弁部（１１）とを含み、保持用凹部及び弁部は、リング部材が係止用凹部から外された場合に、他方のグリップから離れた姿勢にリング部材を挟持する。手動利器を使用する際、リング部材をロック状態から外す動作によって、リング部材はグリップに当たらない姿勢に保持用凹部及び弁部によって挟持され、保持される。【選択図】図１
2018183243.tif 000002
【特許請求の範囲】
【請求項１】
常時開放状態に付勢されている一対のグリップを握ることにより対象物を切断又は挟持する手動利器に備えられ、前記一対のグリップを閉じたロック状態にする手動利器のロック機構において、
一方のグリップの端に設けられた保持用凹部と、
他方のグリップの端に設けられた係止用凹部と、
前記保持用凹部に着脱可能及び回動可能に設けられ、前記係止用凹部に係止して前記一対のグリップを閉じたロック状態にするリング部材と、
前記リング部材を前記保持用凹部に着脱可能及び回動可能に入れる弁部と、を含んでおり、
前記保持用凹部及び弁部は、前記リング部材が係止用凹部から外された場合に、前記一対のグリップを閉じても他方のグリップに当たらない、当該他方のグリップから離れた姿勢に前記リング部材を挟持する、ことを特徴とする手動利器のロック機構。
【請求項２】
前記リング部材は、前記保持用凹部に保持される部分の断面が楕円又は１以上の直線部分を有する形になっており、前記保持用凹部及び弁部は、リング部材を遊びの無い状態で、または遊びの有る状態で、前記姿勢に挟持する、請求項１に記載の手動利器のロック機構。
【請求項３】
更に、前記リング部材は、前記係止用凹部から外された場合に、前記一方のグリップの端を挟持して、当該リング部材の姿勢を固定する突出部を、当該リング部材の内周面に有している、請求項２に記載の手動利器のロック機構。
【請求項４】
前記一対のグリップは同一構造物であり、前記リング部材は、前記他方のグリップの係止用凹部に係止する係止部を有している、請求項１乃至請求項３の何れか一項に記載の手動利器のロック機構。
【請求項５】
前記一対のグリップの各々は単一の樹脂成型物で、前記弁部は前記保持用凹部の開放部近傍に、揺動可能な舌片状に形成されている、請求項１乃至請求項４の何れか一項に記載の手動利器のロック機構。
【請求項６】
前記樹脂は、ゴム弾性を有している樹脂である、請求項５に記載の手動利器のロック機構。
【発明の詳細な説明】
【技術分野】
【０００１】
本発明は、園芸はさみ、剪定はさみ、プライヤー等の手動利器の内、常時開放状態に付勢するスプリングを備え、一対のグリップを握ることにより対象物を切断又は挟持するタイプの手動利器に関する。より詳しくは、未使用時等のために、前記手動利器のグリップを閉じた状態に固定するロック機構に関する。
【背景技術】
【０００２】
図９は、手動利器の一例として、はさみ５０を示す。はさみ５０は、常時開放状態に付勢するスプリング５１を備えている。使用者は、一対のグリップ５２、５３を握ることにより刃５４及び５５を閉じて対象物を切断する。はさみ１は、未使用時に刃５４、５５が開放状態となるのを防ぐロック機構５６を備えている。ロック機構５６は、図１０に拡大して示すように、グリップ５２の端に開けた開口部５７と、当該開口部５７に通したリング部材５８と、グリップ５３に設けた係止部とで構成される。リング部材５８をグリップ５３の係止部に係止することによって、刃５４、５５を閉じたロック状態にする。
【０００３】
例えば特許文献１には、一方のグリップの端に揺動自在に枢支したフック形状のストッパーを他方のグリップの端に設けた係止部に着脱自在に係止することで刃を閉じた状態にするはさみが開示されている(図３、段落番号[０００９])。
【先行技術文献】
【特許文献】
【０００４】
【特許文献１】実用新案登録第３０６７４７７号
【発明の概要】
【発明が解決しようとする課題】
【０００５】
はさみ５０は、グリップ５２に開口部５７を打ち抜き加工等により設ける工程と、リング部材を通すために開口部５７の端を一度開け、その後閉じる工程とが必要である。同様に、特許文献１に記載のはさみでは、一方のグリップに枢軸を用意し、ストッパーを枢動可能に留める処理が必要であり、製造工程が複雑である。また、使用時、リング部材５８またはストッパーが他方のグリップに当たる恐れがあり、そのような場合にはリング部材５８またはストッパーの姿勢を直し、グリップを握りなおす必要があり、不便である。
【０００６】
本発明は、上記従来例の問題を解決するためになされたものであり、簡単な構成で、ロック機構を解除した後、使用時には、リング部材又はストッパーが他方のグリップに当たらない、手動利器のロック機構を提供することを目的とする。
【課題を解決するための手段】
【０００７】
上記目的を達成するために本発明の手動利器のロック機構は、常時開放状態に付勢されている一対のグリップを握ることにより対象物を切断又は挟持する手動利器に備えられ、前記一対のグリップを閉じたロック状態にする手動利器のロック機構において、一方のグリップの端に設けられた保持用凹部と、他方のグリップの端に設けられた係止用凹部と、前記保持用凹部に着脱可能及び回動可能に設けられ、前記係止用凹部に係止して前記一対のグリップを閉じたロック状態にするリング部材と、前記リング部材を前記保持用凹部に着脱可能及び回動可能に入れる弁部と、を含んでおり、前記保持用凹部及び弁部は、前記リング部材が係止用凹部から外された場合に、前記一対のグリップを閉じても他方のグリップに当たらない、当該他方のグリップから離れた姿勢に前記リング部材を挟持する、ことを特徴とする。
【０００８】
前記リング部材は、前記保持用凹部に保持される部分の断面が楕円又は１以上の直線部分を有する形になっており、前記保持用凹部及び弁部は、リング部材を遊びの無い状態で、または遊びの有る状態で、前記姿勢に挟持するのが好ましい。
【０００９】
更に、前記リング部材は、前記係止用凹部から外された場合に、前記一方のグリップの端を挟持して、当該リング部材の姿勢を固定する突出部を、当該リング部材の内周面に有しているのが好ましい。
【００１０】
前記一対のグリップは同一構造物であり、前記リング部材は、前記他方のグリップの係止用凹部に係止する係止部を有しているのが好ましい。
【００１１】
前記一対のグリップの各々は単一の樹脂成型物で、前記弁部は前記保持用凹部の開放部近傍に、揺動可能な舌片状に形成されているのが好ましい。
【００１２】
前記樹脂は、ゴム弾性を有している樹脂が好ましい。
【発明の効果】
【００１３】
本発明によれば、弁部を介してリング部材をグリップに取り付けるだけで、手動利器のロック機構が完成する。手動利器を使用する際には、リング部材をロック状態から外す動作によって、リング部材はグリップに当たらない姿勢に保持用凹部及び弁部によって挟持され、保持される。
【図面の簡単な説明】
【００１４】
【図１】本発明の一実施の形態に係るロック機構を備えた手動利器を示す図。
【図２】手動利器のロック機構部分の拡大図。
【図３】手動利器のロック機構部分の拡大図。
【図４】（ａ）はリング部材の正面図、（ｂ）は（ａ）に示すＡ−Ａ’線断面図、（ｃ）は平面図、（ｄ）は底面図。
【図５】（ａ）は図４（ａ）に示したリング部材の背面図、（ｂ）は側面図。
【図６】（ａ）（ｂ）は手動利器の一例であるはさみの組み立て手順を示す。
【図７】手動利器の一例であるはさみの組み立て手順を示す。
【図８】リング部材の変形例について示す図。
【図９】従来のロック機構を備えた手動利器の一例を示す。
【図１０】ロック機構部分の拡大図。
【発明を実施するための形態】
【００１５】
本発明のロック機構を備えた手動利器は、園芸はさみ、剪定はさみ、プライヤー等の手動利器の内、常時開放状態に付勢されている一対のグリップを握ることにより対象物を切断又は挟持するタイプのものをいう。ロック機構は、一方のグリップの端に設けられた保持用凹部と、他方のグリップの端に設けられた係止用凹部と、保持用凹部に着脱可能及び回動可能に設けられ、係止用凹部に係止して前記一対のグリップを閉じたロック状態にするリング部材と、リング部材を保持用凹部に着脱可能及び回動可能に入れる弁部と、を含んでいる。保持用凹部及び弁部は、リング部材を係止用凹部から外す動作に伴って、一対のグリップを閉じても他方のグリップに当たらない、他方のグリップから離れた姿勢、具体的には、外されたときの姿勢、その姿勢から重力の作用により戻ったとしても、他方のグリップから離れた姿勢、または、その姿勢以上に係止用凹部から離れた姿勢となるようにリング部材を挟持し、保持することを特徴とする。
以下、本発明のロック機構を備えた手動利器として、はさみを例にとって説明する。
【００１６】
図１は、はさみ１の正面図を示す。はさみ１は、刃２、３を開閉する１対のグリップ４、５と、グリップ４、５を常時開放状態に付勢するスプリング６と、グリップ４、５を閉じた状態に保持するロック機構７とを備える。
【００１７】
ロック機構７は、一方のグリップ４の端に設けられた保持用凹部８と、他方のグリップ５の端に設けられた係止用凹部９と、保持用凹部８に着脱可能及び回動可能に取り付けられたリング部材１０(図４を参照)とを備える。グリップ４、５は、同一構造で単一の樹脂成型物で、保持用凹部８の開放部近傍には、揺動可能な舌片状の弁部１１を有している。弁部１１をグリップ４に一体形成することによって、部品数を少なくすることができ、故障率も少なくすることができる。
【００１８】
図２は、図１で示したロック機構７の部分拡大図を示す。グリップ４の保持用凹部８と、グリップ５の係止用凹部９とは、同じ形状で、それぞれ開放部近傍に、弁部１１、１２を有している。弁部１１を通って保持用凹部８に収められたリング部材１０は、保持用凹部８及び弁部１１によって挟持され、図示するように、他方のグリップ５から離れた姿勢、即ち、一対のグリップ４、５を閉じた場合にグリップ４にリング部材１０の先端１３が当たらない姿勢（ロック解除姿勢）に保持される。より詳しくは、図中点線で示すように、リング部材１０の保持用凹部８に保持される部分１４の断面は、楕円状になっており、弁部１１の舌片状の先が部分１４の頂部１５の位置、又はこれより僅かに下の位置に当接するように設計されている。リング部材１０は、矢印１６方向に回動可能で、遊びを有した状態で、保持用凹部８及び弁部１１に挟持され、保持されている。なお、保持用凹部８及び弁部１１によって区画される空間形状を、リング部材１０がロック解除姿勢にあるときによりきつく保持するように形成し、遊びの無い状態にすることもできる。
【００１９】
図３は、ロック機構７により、グリップ４、５を閉じたロック状態を示す。ロック状態は、リング部材１０を他方の係止用凹部９に係止することによって実現する。図中点線で示すように、リング部材１０の先端部１３の断面は、係止部として係止用凹部９に嵌る部分を有している（図４（ｂ）を参照）。グリップ５はグリップ４と同一構造物故、係止用凹部９には弁部１１と同じ形状の弁部１２が存在する。弁部１２は、先端部１３が係止用凹部９に係止することを妨げないだけでなく、先端部１３に接し、当該先端部１３の位置を安定させるように機能する。保持用凹部８の弁部１１は、リング部材１０の保持される部分１４の頂部１５を押さえており、リング部材１０を係止用凹部９から外す際に、リング部材１０が図２に示した姿勢となるように促す。
【００２０】
図４、図５は、リング部材１０の構成を示す。図４（ａ）はリング部材１０の正面図、（ｂ）は（ａ）に示すＡ−Ａ’線断面図、（ｃ）は平面図、（ｄ）は底面図を示す。図５（ａ）はリング部材１０の背面図、（ｃ）は側面図を示す。リング部材１０の保持用凹部８で保持される部分１４の断面は、楕円形を採用しているが、保持用凹部８及び弁部１１で挟持することによって、グリップ５から離れた姿勢に保持できるという条件を満たす限りにおいて、多角形、円の一部を直線で切り取った形状等の１以上の直線部分を有する断面形状を採用してもよい。
【００２１】
リング部材１０は、その内周面に突出部１７を有しており、ロック解除時に突出部１７によってグリップ４の端を挟持して、リング部材１０の姿勢を固定することができる。当該突出部１７を設けることによって、リング部材１０の姿勢保持力を高めることができる。
【００２２】
リング部材１０のリング部分の形状は、前方後円墳型又は矩形形状となっているが、これに限定されない。例えば、リング部分の形状を円形にして、ユーザーが小指を差し込んではさみ１をしっかりと保持できるようにしてもよい。この用途を考慮する場合、リング部材１０は、グリップ４、５に比べて柔らかく伸縮性のあるゴム樹脂を採用するのが好ましい。
【００２３】
図６、図７は、はさみ１の組み立て工程を示す。図６（ａ）に示すように、グリップ４は、グリップ５と同一構造の樹脂成型品で、金型に熱可塑性樹脂を流し込んで製造する。はさみ１の刃２の茎の部分１８は、グリップ４の形成時又は形成後に差し込む。グリップ４の形成時に前記茎の部分１８を予め金型に差し込んでおくことで、穴１９の中に樹脂が入り込み、グリップ４への取り付け強度を高めることができる。
【００２４】
図６（ｂ）に示すように、刃２の取り付けられたグリップ４の保持用凹部８にリング部材１０を取り付ける。揺動可能な舌片状の弁部１１は、特別な工具、及び、追加部品を用いずに、リング部材１０を保持用凹部８へ着脱可能にする。リング部材１０の部分１４は、図示する姿勢の時に最も幅W1（上下幅）が狭く、取り付け易くなっている。取り付け後、例えば図２の姿勢の時には、断面が楕円故、見かけの幅（上下幅）が大きくなっているためリング部材１０は外れ難い。弁部１１は保持用凹部８の内向きに突出しており、かつ、弁部１１の幅W2は、幅W1よりも小さい。このため、弁部１１は、取り付けたリング部材１０が保持用凹部８から外れないように逆止する機能を有している。弁部１１は、リング部材１０を保持用凹部８に取り付け易く、外れ難くする。但し、完全な逆止弁となっていないので、必要な時には、リング部材１０の交換が可能になっている。また、弁部１１は、弁としての機能以外に、保持用凹部８と共にリング部材１０を予め定めた姿勢にするように機能する。図７に示すように、グリップ４とグリップ５とを、刃２、３の枢軸２０、２１で連結することによって、図１に示すはさみ１が完成する。
【００２５】
上記構成のはさみ１は、１種類の金型で同形状の左右のグリップ４、５作ることができ、部品数が少なく、製造コストを抑えやすい利点がある。また、同一形状に作ったグリップ４、５は、その凹部が無駄になること無く、一方は、リング部材１０の保持用凹部８として機能し、他方はリング部材１０の係止用凹部９として機能する。
【００２６】
図８は、リング部材１０の保持用凹部８で保持される部分１４の断面が、１以上の直線部分を有する形状の場合を示す図である。本図は、断面が、円の一部を直線で切り取った形状の場合を示す。図８（ａ）は、本変形例に係るグリップ３０の保持用凹部３１及び弁部３２がリング部材３３を、図示しない他方のグリップから離れた姿勢に挟持し、保持している状態を示す。図示するように、本変形例においては、リング部材３３の保持用凹部３１に保持される部分３４の断面及び保持用凹部３２に直線部分３５、３６を設けたことによって、リング部材３３をより安定的に、即ち遊びの少ない又は無い状態で所望の姿勢に保持することができる。図８（ｂ）は、リング部材３３を図示しない他方のグリップの係止用凹部に係止せた、ロック状態を示す。保持用凹部３１の弁部３２は、リング部材３３の保持される部分３４の頂部３７を押さえており、リング部材３３を図示しない他方のグリップの係止用凹部から外す際に、リング部材３３が図８（ａ）に示した姿勢となるように促す。
【００２７】
本発明は、上記実施形態に限られず、発明の趣旨を変更しない範囲で種々の変形が可能である。例えば、グリップ４、５は金型で製造する他に、３Ｄプリンター等の３Ｄ造形技術を用いて製造してもよい。この場合においても、左右のグリップは同一構造物を利用できるので、部品数を少なくすることができるという利点がある。舌片状の弁部１１は、保持用凹部８の開口部分に複数、例えば向き合う位置に２つ設けることもできる。
【００２８】
上記実施形態では、グリップ４に熱可塑性樹脂を用いるが、同一構造物が製造可能で、リング部材１０との間で姿勢保持に必要な摩擦係数が得られるものであれば、熱可塑性のものに限定されない。例えば、グリップ４は、合成ゴム、熱可塑性エラストマー(TPE)及び熱硬化性樹脂系エラストマー（ウレタンゴム、シリコーンゴム、フッ素ゴム）等のゴム弾性を有する工業用材料を用いることができる。グリップ４にゴム弾性を有する樹脂を用いることにより、好ましいグリップ力が得られる。また、リング部材１０と弁部１１との接面を凸凹にして摩擦係数を高くするのが好ましい。この場合、ロック解除時のリング部材１０の姿勢保持力を高めることができる。
【産業上の利用可能性】
【００２９】
本発明のロック機構は、はさみに限らず、常時開放状態に付勢されている一対のグリップを握ることにより対象物を切断又は挟持するタイプの手動利器、それに類する工具に用いることができる。
【符号の説明】
【００３０】
１            はさみ
２、３        刃
４、５、３０  グリップ
６            スプリング
７            ロック機構
８、３１      保持用凹部
９            係止用凹部
１０、３３    リング部材
１１、１２、３２  弁部
１３            係止部
１４、３４    保持用凹部に保持される部分
１７          突出部
【図１】
2018183243.tif 000003
【図２】
2018183243.tif 000004
【図３】
2018183243.tif 000005
【図４】
2018183243.tif 000006
【図５】
2018183243.tif 000007
【図６】
2018183243.tif 000008
【図７】
2018183243.tif 000009
【図８】
2018183243.tif 000010
【図９】
2018183243.tif 000011
【図１０】
2018183243.tif 000012
【手続補正書】
【提出日】平成29年5月26日(2017.5.26)
【手続補正１】
【補正対象書類名】明細書
【補正対象項目名】０００２
【補正方法】変更
【補正の内容】
【０００２】
図９は、手動利器の一例として、はさみ５０を示す。はさみ５０は、常時開放状態に付勢するスプリング５１を備えている。使用者は、一対のグリップ５２、５３を握ることにより刃５４及び５５を閉じて対象物を切断する。はさみ５０は、未使用時に刃５４、５５が開放状態となるのを防ぐロック機構５６を備えている。ロック機構５６は、図１０に拡大して示すように、グリップ５２の端に開けた開口部５７と、当該開口部５７に通したリング部材５８と、グリップ５３に設けた係止部とで構成される。リング部材５８をグリップ５３の係止部に係止することによって、刃５４、５５を閉じたロック状態にする。
【手続補正２】
【補正対象書類名】明細書
【補正対象項目名】００１８
【補正方法】変更
【補正の内容】
【００１８】
図２は、図１で示したロック機構７の部分拡大図を示す。グリップ４の保持用凹部８と、グリップ５の係止用凹部９とは、同じ形状で、それぞれ開放部近傍に、弁部１１、１２を有している。弁部１１を通って保持用凹部８に収められたリング部材１０は、保持用凹部８及び弁部１１によって挟持され、図示するように、他方のグリップ５から離れた姿勢、即ち、一対のグリップ４、５を閉じた場合にグリップ５にリング部材１０の先端１３が当たらない姿勢（ロック解除姿勢）に保持される。より詳しくは、図中点線で示すように、リング部材１０の保持用凹部８に保持される部分１４の断面は、楕円状になっており、弁部１１の舌片状の先が部分１４の頂部１５の位置、又はこれより僅かに下の位置に当接するように設計されている。リング部材１０は、矢印１６方向に回動可能で、遊びを有した状態で、保持用凹部８及び弁部１１に挟持され、保持されている。なお、保持用凹部８及び弁部１１によって区画される空間形状を、リング部材１０がロック解除姿勢にあるときによりきつく保持するように形成し、遊びの無い状態にすることもできる。
【手続補正３】
【補正対象書類名】明細書
【補正対象項目名】００２６
【補正方法】変更
【補正の内容】
【００２６】
図８は、リング部材１０の保持用凹部８で保持される部分１４の断面が、１以上の直線部分を有する形状の場合を示す図である。本図は、断面が、円の一部を直線で切り取った形状の場合を示す。図８（ａ）は、本変形例に係るグリップ３０の保持用凹部３１及び弁部３２がリング部材３３を、図示しない他方のグリップから離れた姿勢に挟持し、保持している状態を示す。図示するように、本変形例においては、リング部材３３の保持用凹部３１に保持される部分３４の断面及び保持用凹部３１に直線部分３５、３６を設けたことによって、リング部材３３をより安定的に、即ち遊びの少ない又は無い状態で所望の姿勢に保持することができる。図８（ｂ）は、リング部材３３を図示しない他方のグリップの係止用凹部に係止せた、ロック状態を示す。保持用凹部３１の弁部３２は、リング部材３３の保持される部分３４の頂部３７を押さえており、リング部材３３を図示しない他方のグリップの係止用凹部から外す際に、リング部材３３が図８（ａ）に示した姿勢となるように促す。